(57)【要約】【課題】部品点数を減らすと共に、組み立てを容易とし、さらに、プリント基板との接続も容易に行うことができる構成を有するハウジング及びコネクタを提供する。【解決手段】被接続部材２００を挟持することで接続される複数のコンタクト１００、１４０と、コンタクト１００、１４０がそれぞれ収容されるハウジング１２と、を有するコネクタ１０において、ハウジング１２は、コンタクト１００、１４０が収容されるハウジング本体１４と、コンタクト１００、１４０を挟持させるように移動させる作動部７０と、を有し、コンタクト１００、１４０が被接続部材２００を挟持する場合に、作動部７０が操作されることでハウジング本体１４と作動部７０が繋がれた部分が切断される構成となっている。【選択図】図２０
2018120806.tif 000002
【特許請求の範囲】
【請求項１】
被接続部材を挟持することで接続される複数のコンタクトが装着されるハウジングであって、
前記コンタクトがそれぞれ収容されるハウジング本体と、
前記ハウジング本体に収容された前記コンタクトが前記被接続部材を挟持するように移動させる作動部と、を有し、
前記コンタクトが前記被接続部材を挟持する場合に、前記作動部が操作されることで前記ハウジング本体と前記作動部が繋がれた部分が切断される構成となっていることを特徴とするハウジング。
【請求項２】
被接続部材を挟持することで接続される複数のコンタクトが装着されるハウジングであって、
前記コンタクトがそれぞれ収容されるハウジング本体と、
前記ハウジング本体に収容された前記コンタクトが前記被接続部材を挟持するように移動させる作動部と、を有し、
前記コンタクトの装着時に、前記作動部が押圧されることで前記ハウジング本体と前記作動部が繋がれた部分が切断される構成となっていることを特徴とするハウジング。
【請求項３】
前記ハウジング本体には、前記被接続部材が挿入される開口部が形成されており、
前記ハウジング本体の前記開口部側には、前記コンタクトが挿入される、コンタクト挿入口が形成されており、
前記作動部は、前記ハウジング本体の前記コンタクト挿入口とは反対側に設けられていることを特徴とする請求項１又は２に記載のハウジング。
【請求項４】
被接続部材を挟持することで接続される複数のコンタクトと、
前記コンタクトがそれぞれ収容されるハウジングと、を有するコネクタにおいて、
前記ハウジングは、
前記コンタクトが収容されるハウジング本体と、前記コンタクトを挟持させるように移動させる作動部と、を有し、
前記コンタクトが前記被接続部材を挟持する場合に、前記作動部が操作されることで前記ハウジング本体と前記作動部が繋がれた部分が切断される構成となっていることを特徴とするコネクタ。
【請求項５】
被接続部材を挟持することで接続される複数のコンタクトと、
前記コンタクトがそれぞれ収容されるハウジングと、を有するコネクタにおいて、
前記ハウジングは、
前記コンタクトが収容されるハウジング本体と、前記コンタクトを挟持させるように移動させる作動部と、を有し、
前記コンタクトの装着時に、前記作動部が押圧されることで前記ハウジング本体と前記作動部が繋がれた部分が切断される構成となっていることを特徴とするコネクタ。
【請求項６】
前記ハウジング本体には、前記被接続部材が挿入される開口部が形成されており、
前記ハウジング本体の前記開口部側には、前記コンタクトが挿入される、コンタクト挿入口が形成されており、
前記作動部は、前記ハウジング本体の前記コンタクト挿入口とは反対側に設けられていることを特徴とする請求項４又は５に記載のコネクタ。
【請求項７】
前記コンタクトには、前記コンタクト挿入口と反対側に配置される側に前記作動部に形成された押圧部に押圧される作動片と、
前記作動片と反対側に、前記被接続部材と接触される接触部を有する腕部と、が形成され、
前記作動部が操作されることで、移動された前記押圧部により前記作動片が押圧され、前記腕部が前記被接続部材を挟持する構成となっていることを特徴とする請求項４〜６のいずれかに記載のコネクタ。
【請求項８】
前記コンタクトは、異なる形状の第１コンタクトと第２コンタクトを有しており、
前記第１コンタクトは、被取付部材に取り付けられる第１取付部が前記ハウジング本体の前記開口部側に形成されており、
前記第２コンタクトは、前記被取付部材に取り付けられる第２取付部が前記ハウジング本体の前記開口部とは反対側に形成されており、
前記ハウジング本体の前記被取付部材側には、前記第２コンタクトの前記第２取付部が挿通される挿通溝部が前記第２コンタクトの挿入方向に沿ってそれぞれ形成されていることを特徴とする請求項４〜７のいずれかに記載のコネクタ。
【発明の詳細な説明】
【技術分野】
【０００１】
本発明は、部品点数を減らすと共に、組み立てを容易とし、さらに、プリント基板との接続も容易に行うことができる構成を有するハウジング及びコネクタに関する。
【背景技術】
【０００２】
プリント基板としての、例えばＦＰＣ（Ｆｌｅｘｉｂｌｅ  Ｐｒｉｎｔ  Ｃｉｒｃｕｉｔ）等と接続されるコネクタとして、例えば、下記特許文献１に平板状信号伝送媒体用コネクタが開示されている。書き特許文献１の平板状信号伝送媒体用コネクタは、接触端子が前側端子と後側端子として交互に挿入方向に対して前後にずれた位置に配列された信号伝送媒体を嵌合するコンタクトと、前記コンタクトの一側を嵌合側に向けて第１コンタクトとすると共に、前記コンタクトの他側を嵌合側に向けて第２コンタクトとして、前記コンタクトが交互に並べられたハウジングとを備え、前記コンタクトには、前記信号伝送媒体の接触端子と接触する接点が、一側では後側端子と接触する位置に設けられ、他側では前側端子に接触する位置に設けられているとしている。
【先行技術文献】
【特許文献】
【０００３】
【特許文献１】特開２０１３−１０９９７０号公報
【発明の概要】
【発明が解決しようとする課題】
【０００４】
なお、上記特許文献１に開示された平板状信号伝送媒体用コネクタは、コンタクトと、ハウジングと、アクチュエータとを備えている（段落［００２２］）としているが、このハウジングとアクチュエータは別々に製造され、その後、組み立てられる構成となっている。そのため、部品点数が増え、また、組み立ての工程が増えるという課題がある。
【０００５】
本発明は上述のような従来技術の課題を解決するためになされたものであって、本発明の目的は、部品点数を減らすと共に、組み立てを容易とし、さらに、プリント基板との接続も容易に行うことができる構成を有するハウジング及びコネクタを提供することにある。
【課題を解決するための手段】
【０００６】
上記目的を達成するために、本発明の第１の態様にかかるハウジングは、被接続部材を挟持することで接続される複数のコンタクトが装着されるハウジングであって、
前記コンタクトがそれぞれ収容されるハウジング本体と、
前記ハウジング本体に収容された前記コンタクトが前記被接続部材を挟持するように移動させる作動部と、を有し、
前記コンタクトが前記被接続部材を挟持する場合に、前記作動部が操作されることで前記ハウジング本体と前記作動部が繋がれた部分が切断される構成となっていることを特徴とする。
【０００７】
また、第２の態様のハウジングは、第１の態様のハウジングにおいて、被接続部材を挟持することで接続される複数のコンタクトが装着されるハウジングであって、
前記コンタクトがそれぞれ収容されるハウジング本体と、
前記ハウジング本体に収容された前記コンタクトが前記被接続部材を挟持するように移動させる作動部と、を有し、
前記コンタクトの装着時に、前記作動部が押圧されることで前記ハウジング本体と前記作動部が繋がれた部分が切断される構成となっていることを特徴とする。
【０００８】
また、第３の態様のハウジングは、第１又は第２の態様のハウジングにおいて、前記ハウジング本体には、前記被接続部材が挿入される開口部が形成されており、
前記ハウジング本体の前記開口部側には、前記コンタクトが挿入される、コンタクト挿入口が形成されており、
前記作動部は、前記ハウジング本体の前記コンタクト挿入口とは反対側に設けられていることを特徴とする。
【０００９】
第４の態様のコネクタは、被接続部材を挟持することで接続される複数のコンタクトと、
前記コンタクトがそれぞれ収容されるハウジングと、を有するコネクタにおいて、
前記ハウジングは、
前記コンタクトが収容されるハウジング本体と、前記コンタクトを挟持させるように移動させる作動部と、を有し、
前記コンタクトが前記被接続部材を挟持する場合に、前記作動部が操作されることで前記ハウジング本体と前記作動部が繋がれた部分が切断される構成となっていることを特徴とする。
【００１０】
第５の態様のコネクタは、被接続部材を挟持することで接続される複数のコンタクトと、
前記コンタクトがそれぞれ収容されるハウジングと、を有するコネクタにおいて、
前記ハウジングは、
前記コンタクトが収容されるハウジング本体と、前記コンタクトを挟持させるように移動させる作動部と、を有し、
前記コンタクトの装着時に、前記作動部が押圧されることで前記ハウジング本体と前記作動部が繋がれた部分が切断される構成となっていることを特徴とする。
【００１１】
また、第６の態様のコネクタは、第４又は第５の態様のコネクタにおいて、前記ハウジング本体には、前記被接続部材が挿入される開口部が形成されており、
前記ハウジング本体の前記開口部側には、前記コンタクトが挿入される、コンタクト挿入口が形成されており、
前記作動部は、前記ハウジング本体の前記コンタクト挿入口とは反対側に設けられていることを特徴とする。
【００１２】
また、第７の態様のコネクタは、第４〜第６のいずれかの態様のコネクタにおいて、前記コンタクトには、前記コンタクト挿入口と反対側に配置される側に前記作動部に形成された押圧部に押圧される作動片と、
前記作動片と反対側に、前記被接続部材と接触される接触部を有する腕部と、が形成され、
前記作動部が操作されることで、移動された前記押圧部により前記作動片が押圧され、前記腕部が前記被接続部材を挟持する構成となっていることを特徴とする。
【００１３】
また、第８の態様のコネクタは、第４〜第７のいずれかの態様のコネクタにおいて、前記コンタクトは、異なる形状の第１コンタクトと第２コンタクトを有しており、
前記第１コンタクトは、被取付部材に取り付けられる第１取付部が前記ハウジング本体の前記開口部側に形成されており、
前記第２コンタクトは、前記被取付部材に取り付けられる第２取付部が前記ハウジング本体の前記開口部とは反対側に形成されており、
前記ハウジング本体の前記被取付部材側には、前記第２コンタクトの前記第２取付部が挿通される挿通溝部が前記第２コンタクトの挿入方向に沿ってそれぞれ形成されていることを特徴とする。
【発明の効果】
【００１４】
第１の態様のハウジングによれば、ハウジング本体と作動部が一体に形成されていることで、部品点数を減らすことができる。また、ハウジング本体と作動部との切断を被接続部材とコンタクトを接続させる場合に行うことができる。
【００１５】
第２の態様のハウジングによれば、ハウジング本体と作動部が一体に形成されていることで、部品点数を減らすことができる。また、ハウジング本体と作動部との切断をハウジングにコンタクトを装着させる場合に行うことができる。
【００１６】
また、第３の態様のハウジングによれば、作動部が設けられた側とは反対側から複数のコンタクトをまとめて挿入することができるため、組み立てを容易に行うことができる。
【００１７】
また、第４の態様のコネクタによれば、ハウジング本体と作動部が一体に形成されていることで、部品点数を減らすことができる。また、ハウジング本体と作動部との切断を被接続部材とコンタクトを接続させる場合に行うことができる。
【００１８】
第５の態様のコネクタによれば、ハウジング本体と作動部が一体に形成されていることで、部品点数を減らすことができる。また、ハウジング本体と作動部との切断をハウジングにコンタクトを装着させる場合に行うことができる。
【００１９】
また、第６の態様のコネクタによれば、作動部が設けられた側とは反対側から複数のコンタクトをまとめて挿入することができるため、組み立てを容易に行うことができる。
【００２０】
また、第７の態様のコネクタによれば、作動片がハウジング本体と一体に形成されていても、コンタクトをハウジングの開口部側から挿入させることができるようになる。
【００２１】
また、第８の態様のコネクタによれば、被取付部材に取り付けられる取付部の形成される位置が異なる第１コンタクト及び第２コンタクトを設けることで、コンタクト間のピッチを狭めることができる。また、第１コンタクト及び第２コンタクトをそれぞれ作動部とは反対側のハウジングの開口部が形成された側から挿入させることができるようになる。
【図面の簡単な説明】
【００２２】
【図１】図１Ａは実施形態のコネクタの一方から見た斜視図であり、図１Ｂは他方から見た斜視図である。
【図２】実施形態のコネクタの一方から見た分解斜視図である。
【図３】図３Ａは実施形態のコネクタの正面図であり、図３Ｂは後面図であり、図３Ｃは一方から見た側面図である。
【図４】図４Ａはコネクタの平面図であり、図４Ｂは底面図である。
【図５】図５Ａは図４ＡのＶＡ−ＶＡ線での断面図であり、図５Ｂは図４ＡのＶＢ−ＶＢ線での断面図であり、図５Ｃは図４ＡのＶＣ−ＶＣ線での断面図である。
【図６】図３ＡのＶＩ−ＶＩ線での断面図である。
【図７】図７Ａは第１コンタクトの一方から見た斜視図であり、図７Ｂは他方から見た斜視図である。
【図８】図８Ａは第１コンタクトの一方の面側から見た図であり、図８Ｂは他方の面側から見た図であり、図８Ｃは平面図である。
【図９】図９Ａは第２コンタクトの一方から見た斜視図であり、図９Ｂは他方から見た斜視図である。
【図１０】図１０Ａは第２コンタクトの一方の面側から見た図であり、図１０Ｂは他方の面側から見た図であり、図１０Ｃは平面図である。
【図１１】図１１Ａは実施形態のハウジングの一方から見た斜視図であり、図１１Ｂは他方から見た斜視図である。
【図１２】図１２Ａは実施形態のハウジングの正面図であり、図１２Ｂは後面図であり、図１２Ｃは一方から見た側面図である。
【図１３】図１３Ａはハウジングの平面図であり、図１３Ｂは底面図である。
【図１４】図１４Ａは図１３ＡのXVIA−XVIA線での断面図であり、図１４Ｂは図１３ＡのXVIB−XVIB線での断面図であり、図１４Ｃは図１３ＡのXVIC−XVIC線での断面図である。
【図１５】図１２ＡのＸＶ―ＸＶ線での断面図である。
【図１６】図１６Ａ〜図１６Ｃは第１コンタクトをハウジングへ装着させる工程を示した図５Ａに対応する断面図である。
【図１７】図１７Ａ〜図１７Ｃは第２コンタクトをハウジングへ装着させる工程を示した図５Ｃに対応する断面図である。
【図１８】図１８Ａ〜図１８ＣはハウジングへのＦＰＣを接続させる工程を示す図５Ａ〜図５Ｃにそれぞれ対応する断面図である。
【図１９】図１９Ａ〜図１９ＣはハウジングへのＦＰＣを接続させる工程の図１８Ａ〜図１８Ｃの続きをそれぞれ示す断面図である。
【図２０】図２０Ａは図１８ＡのXXA部の拡大図であり、図２０Ｂは図１９ＡのXXB分の拡大図である。
【発明を実施するための形態】
【００２３】
以下、図面を参照して本発明の実施形態を説明する。但し、以下に示す実施形態は、本発明の技術思想を具体化するためのハウジング及びコネクタを例示するものであって、本発明をこれに特定することを意図するものではなく、特許請求の範囲に含まれるその他の実施形態のものにも等しく適応し得るものである。
【００２４】
［実施形態］
図１〜図２０を参照して、実施形態に係るコネクタ１０について説明する。実施形態のコネクタ１０は、図１〜図６に示すように、複数のコンタクト１００、１４０と、これらのコンタクト１００、１４０がそれぞれ収容されるハウジング１２と、で構成されており、被取付部材としての回路基板等（図示省略）に実装された後、コネクタ内に挿入された被接続部材としてのＦＰＣ等のプリント基板（以下、単にＦＰＣ２００という。）と各コンタクトとが接続されるようになっている。このとき、実施形態のコネクタ１０は、ハウジング１２に設けられた作動部７０を操作することで、各コンタクト１００、１４０がＦＰＣ２００を挟み込むように移動させることができるようになっている（図１８、図１９参照）。
【００２５】
また、実施形態のコネクタ１０を構成するハウジング１２は、一方にＦＰＣ２００が挿入される平型の開口部１８が形成され、複数のコンタクト１００、１４０が収容されるハウジング本体と、ハウジング本体１４の開口部１８とは反対側に収容された複数のコンタクト１００、１４０を作動させる作動部７０が一体となるように形成されている。そして、挿入されたＦＰＣ２００を複数のコンタクト１００、１４０で挟持させる場合、作業者が作動部７０を操作し、ハウジング本体１４と作動部７０とが繋がれた部分が切断されることで、作動部７０を移動させることができる構成となっている。
【００２６】
また、実施形態のコネクタ１０に設けられる複数のコンタクトは、異なる形状で形成された２種類の第１コンタクト１００及び第２コンタクト１４０がそれぞれ交互に配置されるように設けられている。
【００２７】
なお、プリント基板としては、ＦＰＣに限られず、ＦＦＣ（Ｆｌｅｘｉｂｌｅ  Ｆｌａｔ  Ｃａｂｌｅ）等を用いることができる。
【００２８】
以下、実施形態のコネクタ１０の各構成について説明する。
【００２９】
まず、主に、図５〜図８を参照して、実施形態のコネクタ１０に設けられる第１コンタクト１００及び第２コンタクト１４０について説明する。なお、第１コンタクト１００はそれぞれ共通する構成となっているので、代表して一つの第１コンタクト１００を説明し、また、第２コンタクト１４０も同様に、一つの第２コンタクト１４０を代表して説明する。
【００３０】
第１コンタクト１００は、図７、図８に示すように、所定の厚さを有する金属製の板体を、例えば、打ち抜き加工することで形成されており、第１本体部１０２を有し、この第１本体部１０２の先端側、すなわち後述するハウジング本体１４に先に挿入される側には、固定片１０６が形成されており、また、固定片１０６とは反対側の第１本体部１０２の後端側には、回路基板に取り付けられる第１取付部１０４が形成されている。
【００３１】
この固定片１０６は、後述するハウジング本体１４の第１コンタクト収容部５６の後面２４側に形成された固定部３２内の固定片挿入孔３４に挿入され、固定される部分となる。なお、固定片１０６には、ハウジング本体１４の固定片挿入孔３４内に圧入される少なくとも一つ、実施形態の第１コンタクト１００では、２つの固定突部１０８がそれぞれ形成されている。
【００３２】
また、第１本体部１０２の第１取付部１０４は、第１コンタクト１００がハウジング本体１４に装着された場合、ハウジング本体１４の底面４２から回路基板側に突出されるように形成されている（図５Ａ参照）。
【００３３】
また、第１本体部１０２の第１取付部１０４側の一方の第１面側１３０には、第１圧入部１３４が突出して形成されている。この第１圧入部１３４はハウジング本体１４の第１コンタクト収容部に挿入される際に、圧入される部分となる（図６参照）。なお、実施形態の第１コンタクトでは、第１圧入部１３４は一方の第１面側１３０に形成されているが、他方の第１面側１３２に形成されていてもよく、また、両面側１３０、１３２に形成されていてもよい。
【００３４】
また、第１本体部１０２には、上方、すなわち第１取付部１０４が突出された側とは反対方向に向かって延設された第１柱状部１１０が形成されている。なお、この第１柱状部１１０は、実施形態では、第１本体部１０２に対して垂直に形成され、例えば、第１本体部１０２の略中央部分と固定片１０６の間から延設されている。
【００３５】
また、第１柱状部１１０の第１本体部１０２とは反対側の端部からは、第１本体部１０２に沿うように延設された第１腕部１１２が第１取付部１０４側に向かって形成されている。なお、この第１腕部１１２の先端側には、挿入されたＦＰＣ２００の導体部（図示省略）と接触される上側第１接触部１１４が第１本体部１０２側に凸状に突出して形成されている。
【００３６】
また、第１本体部１０２と第１腕部１１２との間には、第１腕部１１２に沿って延設された第１中間腕部１１６が形成されている。この第１中間腕部１１６は、実施形態では、第１本体部１０２の第１柱状部１１０が形成された部分の近傍から延設されている。また、第１中間腕部１１６は、第１腕部１１２に向かうようにやや傾斜して形成されている。さらに、第１中間腕部１１６の端部には、第１腕部１１２側に凸状に突出した下側第１接触部１１８が形成されている。なお、実施形態では、第１腕部１１２に形成された上側第１接触部１１４及び第１中間腕部１１６に形成された下側第１接触部１１８をまとめて第１接触部１１４、１１８という場合がある。
【００３７】
一方、第１柱状部１１０の端部の第１腕部１１２とは反対側には、固定片１０６に沿うように延設された第１作動片１２２が形成されている。この第１作動片１２２の端部には、固定片１０６側に突出した第１凸部１２６が形成されており、また、第１作動片１２２の第１柱状部１１０側には、第１凸部１２６より長い第１規制突部１２４が固定片１０６側に向かって延設されて形成されている。なお、第１作動片１２２の第１凸部１２６と第１規制突部１２４の間の空間が、後述するハウジング１２の作動部７０に形成された第１押圧部８８が配置される第１押圧部配置部１２８となる（図５Ａ参照）。
【００３８】
そして、第１コンタクト１００は、第１作動片１２２がハウジング１２の作動部７０に形成された第１押圧部８８に固定片１０６と反対方向に押圧されることで、第１柱状部１１０を軸にして第１腕部１１２が第１中間腕部１１６側に移動されるようになり、第１腕部１１２の上側第１接触部１１４と第１中間腕部１１６の下側第１接触部１１８とで、ＦＰＣ２００が挟持されるようになる（図１８Ａ、図１９Ａ参照）。なお、詳細は後述する。
【００３９】
次に、主に図５、図６、図９、図１０を参照して、第２コンタクト１４０について説明する。第２コンタクト１４０は、図９、図１０に示すように、所定の厚さを有する金属製の板体を、例えば、打ち抜き加工することで形成されており、第２本体部１４２を有し、第２本体部１４２の先端側、すなわちハウジング本体１４に先に挿入される側には、回路基板に取り付けられる第２取付部１４４が形成されており、また、第２取付部とは反対側の第２本体部１４２の後端側には、ハウジング本体１４の第２コンタクト収容部６０内に支持される支持部１５０が形成されている。
【００４０】
第２本体部１４２の第２取付部１４４は、第２コンタクト１４０がハウジング本体１４に装着された場合、ハウジング本体１４の底面４２から回路基板側に突出されるように形成されている（図５Ｃ参照）。
【００４１】
また、第２本体部１４２の一方の第２面側１７２には、第２圧入部１７６が突出して形成されている。この第２圧入部１７６はハウジング本体１４の第２コンタクト収容部６０に挿入される際に、圧入されるようになる。
【００４２】
また、支持部１５０には、他方の第２面側１７４から突出された支持突起１５２が形成されており、後述するハウジング本体１４の第２コンタクト収容部６０に形成された窪み部６４に挿入され、窪み部６４の底面４２側に形成された支持溝部６６に引っ掛けることで、第２コンタクト１４０が第２コンタクト収容部６０内に支持されるようになっている（図６参照）。
【００４３】
また、第２本体部１４２には、上方、すなわち、第２取付部１４４が突出された側とは反対方向に向かって延設された第２柱状部１５４が形成されている。なお、この第２柱状部１５４は、実施形態では、第２本体部１４２に対して垂直であって、例えば、第２本体部１４２の略中央部分と第２取付部１４４の間から延設されている。
【００４４】
また、第２柱状部１５４の第２本体部１４２とは反対側の端部には、第２本体部１４２に沿うように、第２腕部１５６が支持部１５０側に向かって延設されている。また、この第２腕部１５６の先端側には、挿入されたＦＰＣ２００の導体部と接触される上側第２接触部１５８が第２本体部１４２側に凸状に突出して形成されている。
【００４５】
また、第２本体部１４２と第２腕部１５６との間には、第２腕部１５６に沿って延設された第２中間腕部１６０が形成されている。また、第２中間腕部１６０は、第２腕部１５６に向かうようにやや傾斜して形成されている。さらに、第２中間腕部１６０の端部には、第２腕部１５６側に凸状に突出した下側第２接触部１６２が形成されている。なお、実施形態では、第２腕部１５６に形成された上側第２接触部１５８及び、第２中間腕部１６０に形成された下側第２接触部１６２をまとめて第２接触部１５８、１６２という場合がある。また、第２中間腕部１６０は、第２柱状部１５４から離間して、支持部１５０に近づく位置から形成されている。
【００４６】
なお、実施形態では、第２圧入部１７６は、第２柱状部１５４と第２中間腕部１６０が形成される間の一方の第２面側１７２に形成されている。実施形態の第２コンタクト１４０では、第２圧入部１７６は支持部１５０とは反対側に形成されているが、他方の第２面側１７４に形成されていてもよく、また、両面側１７２、１７４に形成されていてもよい。
また、支持部１５０も同様に、他方の第２面側１７４に限らず、一方の第２面側１７２に形成してもよく、また、両面側１７２、１７４に形成してもよい。
【００４７】
一方、第２柱状部１５４の端部の第２腕部１５６とは反対側には、第２取付部１４４側の第２本体部１４２に沿うように延設された第２作動片１６６が形成されている。なお、第２作動片１６６の先端側は第１作動片１２２に比べ緩やかな隆起部１６８が形成されている。
【００４８】
また、第２本体部１４２の第２取付部１４４と第２柱状部１５４の間には、第２作動片１６６側に突出した第２規制突部１４６が第２柱状部１５４側に突出して形成されている。また、第２規制突部１４６より小さい第２凸部１４８が第２取付部１４４側に形成されている。そして、第２作動片１６６と、第２本体部１４２の第２規制突部１４６と第２凸部１４８との間が、後述するハウジング１２の作動部７０に形成された第２押圧部９０が配置される第２押圧部配置部１７０となる（図５Ｃ参照）。
【００４９】
そして、第２コンタクト１４０は、第２作動片１６６がハウジング１２の作動部７０に形成された第２押圧部９０に第２本体部１４２と反対方向に押圧されることで、第２柱状部１５４を軸にして第２腕部１５６が第２中間腕部１６０側に移動されるようになり、第２腕部１５６の上側第２接触部１５８と第２中間腕部１６０の下側第２接触部１６２とで、ＦＰＣ２００が挟持されるようになる（図１８Ｃ、図１９Ｃ参照）。なお、詳細は後述する。
【００５０】
次に、主に図１１〜図１５を参照して、実施形態のハウジング１２について説明する。実施形態のハウジング１２は、ハウジング本体１４と作動部７０とで構成されており、このハウジング本体１４と、作動部７０とが、一体となるように例えば、樹脂材料により形成されている。なお、ハウジング本体１４と作動部７０が一体に繋がれた部分が繋ぎ部９４となっている。
【００５１】
ハウジング本体１４は、一方にＦＰＣ２００が挿入される平型の開口部１８が形成された前面１６と、前面１６の反対側であって、作動部７０が配置される後面２４と、所定広さの矩形状の上面３８と、回路基板側に配置される底面４２と、一方の側面４６及び他方の側面４８を有している。また、ハウジング本体１４の後面２４と上面３８との角部が切り欠かれており、作動部７０は、ハウジング本体１４の切り欠かれた部分に繋ぎ部９４により一体となるように構成されている。
【００５２】
ハウジング本体１４の前面１６には、ＦＰＣ２００が挿入される平型の開口部１８が形成されており、また、この開口部１８に対して直交する方向、すなわち、上面３８側及び底面４２側に向かって、第１コンタクト１００及び第２コンタクト１４０が挿入される溝状の第１コンタクト挿入口２０及び第２コンタクト挿入口２２がそれぞれ交互に形成されている。なお、第２コンタクト１４０が挿入される第２コンタクト挿入口２２は、ハウジング本体１４の底面４２に亘って形成され、底面４２側が切り欠かれており、この切り欠かれた部分は、後述する挿通溝部４４と連通されるようになる。
【００５３】
また、ハウジング本体１４の後面２４は、作動部７０が設けられるために、段状に形成されており、上面３８側と底面４２側とで、２段に形成されている。この後面２４の上面３８側には、第１コンタクト１００の第１作動片１２２及び第２コンタクト１４０の第２作動片１６６が突出される第１突出口２６及び第２突出口２８がそれぞれ交互に形成されている。
【００５４】
また、第１突出口２６と対応する後面２４の底面４２側には、第１コンタクト１００の固定片１０６が挿入されて、固定される固定片挿入孔３４が第１コンタクト１００の挿入方向に沿って設けられた固定部３２がそれぞれ形成されており、固定部３２の後面２４には、固定部３２の固定片挿入孔３４と連通される開口３６が形成されている。
【００５５】
一方、第２突出口２８と対応する後面２４の底面４２側は、第２コンタクト１４０の第２取付部１４４が突出される突出溝部３０がそれぞれ形成されている。この突出溝部３０は、ハウジング本体１４の底面４２から上面３８側に亘って切り欠かれた溝状に形成されている。なお、この突出溝部３０の両側は、各固定部３２が設けられるようになっており、固定部３２と固定部３２の間が突出溝部３０となっている。
【００５６】
また、ハウジング本体１４の上面３８は、前面１６側に平坦な面を有し、後面２４側には、作動部７０が設けられるように切り欠かれた切り欠き部４０が形成されている。そして、上面３８の切り欠き部４０の低くなった後面２４側に作動部７０が設けられ、各固定部３２の上面３８側に設けられた繋ぎ部９４により作動部７０が一体に形成されている。
【００５７】
また、ハウジング本体１４の底面４２は、所定面積を有すると共に、第２コンタクト１４０の挿入方向に沿った複数の溝が形成されている、この溝は、後述する第２コンタクト１４０が収容される第２コンタクト収容部６０に沿って前面１６から後面２４に亘って形成されており、第２コンタクト１４０がハウジング本体１４に収容される際に、第２コンタクト１４０の第２取付部１４４を通過させるための挿通溝部４４となっている。
【００５８】
また、図１４、図１５に示すようにハウジング本体１４の内部には、内部空間５２が形成され、この内部空間５２は、挿入されたＦＰＣ２００が配置される配置部５４と、第１コンタクト１００が収容される第１コンタクト収容部５６と、第２コンタクト１４０が収容される第２コンタクト収容部６０と、を有している。
【００５９】
また、内部空間５２の配置部５４は前面１６に形成された開口部１８と連通され、第１コンタクト収容部５６は第１コンタクト挿入口２０と連通され、第２コンタクト収容部６０は第２コンタクト挿入口２２と連通されている。
【００６０】
さらに、第１コンタクト収容部５６は、後面２４の第１突出口２６及び固定片挿入孔３４とそれぞれ繋がれており、第２コンタクト収容部６０は、後面２４の第２突出口２８及び突出溝部３０、底面４２の挿通溝部４４とそれぞれ繋がれている。
【００６１】
また、第１コンタクト収容部５６及び第２コンタクト収容部６０は、それぞれ交互になるように形成されており、第１コンタクト収容部５６と第２コンタクト収容部６０との間には、それぞれの空間が仕切られる仕切り壁６８が第１コンタクト１００及び第２コンタクト１４０の挿入方向に沿って形成されている。なお、第１コンタクト収容部５６及び第２コンタクト収容部６０は、ＦＰＣ２００が挿入される配置部５４と対応する部分の仕切り壁６８が切り欠かれて形成されている。
【００６２】
そのため、内部空間５２において、第１コンタクト挿入口２０、第１コンタクト収容部５６、第１突出口２６及び固定片挿入孔３４がそれぞれ繋がれることで、第１コンタクト１００が挿入され、収容されるようになる。また、第２コンタクト挿入口２２第２コンタクト収容部６０、第２突出口２８及び突出溝部３０並びに挿通溝部４４と、が繋がれることで第２コンタクト１４０が挿入され、収容されるようになる。
【００６３】
さらに、内部空間５２は、配置部５４と第１コンタクト収容部５６及び第２コンタクト収容部６０とが繋がれていることで、ハウジング本体１４に収容された複数の第１コンタクト１００及び第２コンタクト１４０と、ハウジング１２に挿入されたＦＰＣ２００とが接続されるようになる。
【００６４】
なお、第１コンタクト収容部５６には、第１コンタクト挿入口２０側に他の第１コンタクト収容部５６の仕切り壁６８に挟まれた幅より広い、第１広溝部５８が形成されている。この第１広溝部５８は、第１コンタクト１００に形成された第１圧入部１３４が所定の位置まで圧入されずに通過させるための部分となっている。また、実施形態では、第１広溝部５８は、第１コンタクト収容部５６を挟んだ両側の仕切り壁６８にそれぞれ形成されている。
【００６５】
また、第２コンタクト収容部６０には、第２コンタクト挿入口２２側に第２コンタクト１４０の支持部１５０に形成された支持突起１５２が通過される窪み部６４と、支持突起１５２が支持される支持溝部６６が形成されている。この窪み部６４は、第２コンタクト１４０が第２コンタクト収容部６０に挿入される際に、支持突起１５２が挿通されると共に、配置される部分となり、また、後面２４側に形成された支持溝部６６に支持突起１５２が支持されるようになる。
【００６６】
さらに、第２コンタクト収容部６０の窪み部６４の反対側の仕切り壁６８には、第２コンタクト１４０の第２圧入部１７６が通過される第２広溝部６２が形成されている。この第２広溝部６２は、第１広溝部５８と同様に、第２コンタクト１４０の第２圧入部が所定の位置まで圧入されずに通過させるための構成となっている。なお、第２広溝部６２は、窪み部より長く後面２４側に向かって形成されている。
【００６７】
作動部７０は、図１１〜図１４に示すように、ハウジング本体１４の前面１６側に設けられた前面部７２と、前面部７２に反対側であって、ハウジング本体１４の後面２４側に設けられる後面部７４と、立設された頂部となりハウジング本体１４の上面３８側に設けられた上面部７６と、ハウジング本体１４側に設けられる底面部７８と、一方の側面部８０及び他方の側面部８２を有する略直方体状に形成されている。なお、作動部７０の底面部７８に繋ぎ部９４が形成され、ハウジング本体１４と一体となるように繋がれて形成されている。
【００６８】
また、作動部７０の底面部７８側には、前面部７２から後面部７４に亘って複数の貫通孔が形成されている。この複数の貫通孔は、ハウジング本体１４の後面２４に形成された第１突出口２６と対応する位置に形成された第１貫通孔８４と第２突出口と対応する位置に形成された第２貫通孔８６となっている。そして、第１突出口２６と対応する第１貫通孔８４には、ハウジング本体１４の第１コンタクト収容部５６に収容された第１コンタクト１００の第１作動片１２２が挿通され、また、第２突出口２８と対応する第２貫通孔８６には、ハウジング本体１４の第２コンタクト収容部６０に収容された第２コンタクト１４０の第２作動片１６６が挿入されるようになる。なお、第１貫通孔８４及び第２貫通孔８６をまとめて貫通孔８４、８６という場合がある。
【００６９】
また、作動部７０の底面部７８と第１貫通孔８４及び第２貫通孔８６の間の部分は、それぞれ第１押圧部８８及び第２押圧部９０となっている。この第１押圧部８８及び第２押圧部９０は、図１４に示すように、底面部７８側が前面部７２側及び後面部７４側に比べ長尺となり、断面が矩形状となっている。なお、実施形態では、後面部７４側が底面部７８から傾斜して形成されている。
【００７０】
また、第１押圧部８８は第１コンタクト１００が装着されたとき、第１コンタクト１００の第１押圧部配置部１２８に配置され、また、第２押圧部９０は、第２コンタクト１４０が装着されたとき、第２コンタクト１４０の第２押圧部配置部１７０に配置されるようになる（図５参照）。
【００７１】
なお、この作動部７０の第１押圧部８８及び第２押圧部９０は、ＦＰＣ２００が挿入されていない場合は、第１押圧部８８及び第２押圧部９０の長手部分９２が横になった状態で配置され、ＦＰＣ２００が装着され、作動部７０が操作された場合は、第１押圧部８８及び第２押圧部９０の長手部分９２が立った状態となり、第１作動片１２２及び第２作動片１６６が上方に押圧されるようになる（図１８、図１９参照）。
【００７２】
また、ハウジング本体１４と作動部７０を繋ぐ繋ぎ部９４は、図１１〜図１４に示すように、作動部７０の底面部７８側であって、作動部７０の底面部７８側の第１貫通孔８４及び第２貫通孔８６が設けられた部分、すなわち、第１押圧部８８及び第２押圧部９０以外の部分と繋がれるように形成されている。そのため、ハウジング本体１４に装着された第１コンタクト１００及び第２コンタクト１４０との間毎に繋ぎ部９４が形成されるようになっている。なお、繋ぎ部９４は、ハウジング本体１４の後面２４側の各固定部３２の上面３８側に形成されている。
【００７３】
次に、実施形態に係るコネクタ１０の組み立てについて主に図１、図２、図１６、図１７を参照して説明する。コネクタ１０の組み立ては、ハウジング本体１４に第１コンタクト１００及び第２コンタクト１４０を装着させることで行われ、この装着は、ハウジング本体１４の前面１６に形成された第１コンタクト挿入口２０及び第２コンタクト挿入口２２に第１コンタクト１００及び第２コンタクト１４０をそれぞれ挿入し、ハウジング本体１４の内部の第１コンタクト収容部５６及び第２コンタクト収容部６０に収容させることで行われる（図１、図２参照）。
【００７４】
まず、図１６を参照して、第１コンタクト１００のハウジング本体１４への挿入について説明する。第１コンタクト１００のハウジング本体１４への挿入は、図１６Ａに示すように、第１コンタクト１００の先端側の第１作動片１２２及び固定片１０６を先にして、ハウジング本体１４の前面１６に形成された第１コンタクト挿入口２０から挿入させる。
【００７５】
また、第１コンタクト１００をハウジング本体１４の第１コンタクト収容部５６内に挿入させると、図１６Ｂに示すように、第１コンタクト１００の固定片１０６及び第１本体部１０２はハウジング本体１４の底面４２の内側を通過し、また、第１コンタクト１００の第１腕部１１２及び第１作動片１２２はハウジング本体１４の上面３８の内側を通過するようになる。
【００７６】
さらに、第１コンタクト１００の両面側１３０、１３２は、第１コンタクト収容部５６を区切る各仕切り壁６８の間を通過するようになる。このとき、第１コンタクト１００の一方の第１面側１３０に形成された第１圧入部１３４は、第１コンタクト収容部５６の第１コンタクト挿入口２０側から形成された第１広溝部５８を通過するようになる。
【００７７】
その後、第１コンタクト１００をハウジング本体１４の第１コンタクト収容部５６内にさらに挿入させ、図１６Ｃに示すように、所定の位置まで移動させることで、第１コンタクト１００を第１コンタクト収容部５６に装着させる。
【００７８】
このとき、第１コンタクト１００の第１作動片１２２は、ハウジング本体１４の後面２４の第１突出口２６から突出されると共に、作動部７０に形成された第１貫通孔８４を挿通された位置に配置される。なお、作動部７０の第１押圧部８８は、ハウジング本体１４の固定部３２の上方であって、第１コンタクト１００の第１作動片の第１凸部１２６と第１規制突部１２４との間の第１押圧部配置部１２８に配置されるようになる。
【００７９】
また、第１コンタクト１００の固定片１０６は、ハウジング本体１４の後面２４側に形成された固定部３２内の固定片挿入孔３４内に挿入されると共に、固定片に形成された各固定突部１０８が圧入されることで、第１コンタクト１００の固定片１０６側が位置決め、及び固定されるようになる。なお、固定片１０６は、固定部３２の開口３６からは突出されていない。
【００８０】
さらに、第１コンタクト１００の一方の第１面側１３０に形成された第１圧入部１３４が、第１広溝部５８を通過した後、第１コンタクト収容部５６の仕切り壁６８に圧入されるようになる。
【００８１】
また、第１コンタクト１００が第１コンタクト収容部５６に装着されると、第１コンタクト１００の第１取付部１０４は、ハウジング本体１４の前面１６側に形成された前側開放部５０に配置され、第１取付部１０４の回路基板側の端部がハウジング本体１４の底面４２から突出されるようになる。以上により、第１コンタクト１００がハウジング１２に収容されるようになる。
【００８２】
次に、図１７を参照して第２コンタクト１４０のハウジング本体１４への挿入について説明する。第２コンタクト１４０のハウジング本体１４への挿入は、図１７Ａに示すように、第２コンタクト１４０の先端側の第２作動片１６６及び第２取付部１４４を先にして、ハウジング本体１４の前面１６に形成された第２コンタクト挿入口２２から挿入させる。
【００８３】
また、第２コンタクト１４０をハウジング本体１４の第２コンタクト収容部６０内に挿入させると、図１７Ｂに示すように、第２コンタクト１４０の第２本体部１４２がハウジング本体１４の底面４２側を通過すると共に、第２取付部１４４が底面４２に形成された挿通溝部４４を通過するようになり、また、第２コンタクト１４０の第２腕部及び第２作動片１６６がハウジング本体１４の上面３８の内側を通過するようになる。
【００８４】
さらに、第２コンタクト１４０の両面側１７２、１７４は、第２コンタクト収容部６０を区切る各仕切り壁６８の間を通過するようになる。このとき、第２コンタクト１４０の一方の第２面側１７２に形成された第２圧入部１７６は、第２コンタクト収容部６０の第２コンタクト挿入口２２側から形成された第２広溝部６２を通過するようになる。
【００８５】
その後、第２コンタクト１４０をハウジング本体１４の第２コンタクト収容部６０内にさらに挿入させ、図１７Ｃに示すように、所定の位置まで移動させることで、第２コンタクト１４０が第２コンタクト収容部６０に装着される。
【００８６】
このとき、第２コンタクト１４０の第２作動片１６６は、ハウジング本体１４の後面２４の第２突出口２８から突出されると共に、作動部７０に形成された第２貫通孔８６を挿通された位置に配置される。なお、作動部７０の第２押圧部９０は、第２コンタクト１４０の第２作動片１６６の下方であって、第２本体部１４２の第２取付部１４４側の第２凸部１４８と第２規制突部１４６との間の第２押圧部配置部１７０に配置されるようになる。また、第２押圧部９０は、第２作動片の第２柱状部１５４と隆起部１６８との間に配置されるようにもなる。
【００８７】
また、第２コンタクト１４０の第２取付部１４４は、ハウジング本体１４の後面２４側に形成された突出溝部３０から突出されると共に、第２取付部１４４は底面４２側から突出されるようになる。
【００８８】
さらに、第２コンタクト１４０の他方の第２面側１７４に形成された支持突起１５２が第２コンタクト収容部６０の第２コンタクト挿入口２２側から形成された窪み部６４を進んだ後に配置され、第２コンタクト１４０の支持突起１５２がハウジング本体１４の窪み部６４の下方の支持溝部６６に支持されると共に、第２作動片１６６が作動部７０の第２押圧部９０に支持されるようになる。
【００８９】
さらに、第２コンタクト１４０の一方の第２面側１７２に形成された第２圧入部１７６が、第２広溝部６２を通過した後、第２コンタクト収容部６０の仕切り壁６８に圧入されるようになる。以上により、第２コンタクト１４０がハウジング１２に収容されるようになる。
【００９０】
上述のように、ハウジング１２に第１コンタクト１００及び第２コンタクト１４０が収容されることで、実施形態のコネクタ１０の組み立てが終了する。このとき、ハウジング１２は、ハウジング本体１４と作動部７０が一体となり、繋ぎ部９４で繋がれた状態で形成されている。また、第１コンタクト１００の第１取付部１０４、第２コンタクト１４０の第２取付部１４４がハウジング本体１４の底面４２側から回路基板側に突出した状態となっている。
【００９１】
なお、実施形態に係るコネクタ１０の組み立てでは、ハウジング１２への第１コンタクト１００及び第２コンタクト１４０の挿入はまとめて一回で行うようにしてもよく、また、複数回に分けて行ってもよく、さらに、一本ずつ行うようにしてもよい。
【００９２】
そして、この組み立てられたコネクタ１０を回路基板に取り付ける場合は、回路基板上の所定の位置に、第１コンタクト１００の第１取付部１０４、第２コンタクト１４０の第２取付部１４４をはんだ付け等により取り付け、固定される。
【００９３】
次に、主に図１８〜図２０を参照して、コネクタ１０へのＦＰＣ２００の接続について説明する。この接続は、まず、ＦＰＣ２００をコネクタ１０のハウジング１２のハウジング本体１４の前面１６に形成された開口部１８から挿入し、図１８に示すように、ハウジング本体１４内の配置部５４の所定の位置に配置させる。このとき、ＦＰＣ２００に形成された導体部（図示省略）と第１コンタクト１００の第１接触部１１４、１１８及び第２コンタクトの第２接触部１５８、１６２とが対応する位置となるように配置される。なお、ＦＰＣ２００をハウジング１２に挿入し、所定の位置に配置させた状態では、ＦＰＣ２００は第１コンタクト１００及び第２コンタクト１４０に挟持されておらず、抜けやすい状態となっている。
【００９４】
その後、図１９に示すように、ハウジング１２の作動部７０を操作し、第１コンタクト１００及び第２コンタクト１４０によりＦＰＣ２００を挟持させる。この操作は、作動部７０がハウジング本体１４に対して、立設した状態から、略平行となるように作動部７０の押圧部８８、９０を基準として移動させることで行われる。
【００９５】
この作動部７０が操作されることに伴い、作動部７０とハウジング本体１４が繋がれていた繋ぎ部９４が切断され、ハウジング本体１４と作動部７０が分離された状態となる（図２０参照）。さらに、この作動部７０が操作されることにより、作動部７０の第１押圧部８８及び第２押圧部の上面部７６及び底面部７８と平行な長手部分９２が、立ち上がるように移動され、第１コンタクト１００の第１作動片１２２及び第２コンタクト１４０の第２作動片１６６を上方に押圧されるようになる。そのため、第１作動片１２２と第２作動片１６６が押圧されることで、第１柱状部１１０及び第２柱状部１５４を軸として、第１腕部１１２及び第２腕部１５６が第１中間腕部１１６側及び第２中間腕部１６０側に移動され、上側第１接触部１１４と下側第１接触部１１８及び上側第２接触部１５８と下側第２接触部１６２とによりＦＰＣ２００の導体部がそれぞれ挟持されるようになる。
【００９６】
このとき、第１コンタクト１００の第１接触部１１４、１１８及び第２コンタクト１４０の第２接触部１５８、１６２がＦＰＣ２００の導体部と接触されるようになると共に、挟持されることでＦＰＣ２００の抜け止めとなる。以上で、コネクタ１０へのＦＰＣ２００の接続が完了する。
【００９７】
また、ＦＰＣ２００を取り外す場合は、作動部７０を反対方向、すなわちハウジング本体１４と垂直となるように移動させる。この移動により、作動部７０の第１押圧部８８及び第２押圧部９０の長手部分９２が横になり、第１押圧部８８及び第２押圧部９０の第１コンタクト１００の第１作動片１２２及び第２作動片１６６への押圧が解除される。
【００９８】
そして、第１作動片１２２及び第２作動片１６６が第１柱状部１１０及び第２柱状部１５４を軸に、第１本体部１０２側及び第２本体部１４２側に移動されることで、第１腕部１１２及び第２腕部１５６が開く方向に移動し、第１コンタクト１００の第１接触部１１４、１１８及び第２コンタクト１４０の第２接触部１５８、１６２のＦＰＣ２００から離れ、ＦＰＣ２００の導体部との接触が解除される。その後、ＦＰＣ２００を引き抜くことで、ＦＰＣ２００をコネクタ１０から取り外すことができる。
【００９９】
なお、実施形態では、複数のコンタクトとして、第１コンタクト１００と第２コンタクトをそれぞれ複数用いた場合を説明したが、これに限らず、第１コンタクト１００のみを複数設けるようにしてもよく、又は、第２コンタクト１４０のみを複数設けるようにしてもよい。
【０１００】
また、実施形態では、ハウジング１２のハウジング本体１４と作動部７０の繋ぎ部９４の切断を、ＦＰＣ２００との接続の際に作動部７０が操作されることで行っていたが、これに限らず、コネクタ１０の組み立ての際に切断されるようにしてもよい。例えば、ハウジング本体１４に第１コンタクト１００及び第２コンタクト１４０を挿入する際に、第１コンタクト１００の第１規制突部１２４及び第２コンタクト１４０の第２規制突部１４６により、作動部７０の第１押圧部８８及び第２押圧部９０を挿入方向に押圧することで、繋ぎ部９４を切断することができる。
【０１０１】
なお、切断され、分離された作動部７０は、第１コンタクト１００の第１作動片１２２の第１凸部１２６に引っかかることで、外れることが抑制される。また、切断され、分離されたハウジング１２の作動部７０は、この分離された状態で、繰り返し操作を行うことが可能となり、ＦＰＣ２００とコネクタ１０の接続と取り外しを行うことができるようになる。
【０１０２】
さらに、実施形態では、ハウジング１２のハウジング本体１４と作動部７０とを繋ぐ繋ぎ部９４は、作動部７０の第１押圧部８８及び第２押圧部９０と対応する部分のすべてに設けられているが、これに限らず、ハウジング１２が成形される場合に、ハウジング本体１４と作動部７０が繋がれた状態となっていれば、一部に設けられているようにしてもよい。
【符号の説明】
【０１０３】
１０：コネクタ  １２：ハウジング  １４：ハウジング本体  １６：前面  １８：開口部  ２０：第１コンタクト挿入口  ２２：第２コンタクト挿入口  ２４：後面  ２６：第１突出口  ２８：第２突出口  ３０：突出溝部  ３２：固定部  ３４：固定片挿入孔  ３６：開口  ３８：上面  ４０：切り欠き部  ４２：底面  ４４：挿通溝部  ４６：一方の側面  ４８：他方の側面  ５０：前側開放部  ５２：内部空間  ５４：配置部  ５６：第１コンタクト収容部  ５８：第１広溝部  ６０：第２コンタクト収容部  ６２：第２広溝部  ６４：窪み部  ６６：支持溝部  ６８：仕切り壁  ７０：作動部  ７２：前面部  ７４：後面部  ７６：上面部  ７８：底面部  ８０：一方の側面部  ８２：他方の側面部  ８４：第１貫通孔  ８６：第２貫通孔  ８８：第１押圧部  ９０：第２押圧部  ９２：長手部分  ９４：繋ぎ部  １００：第１コンタクト  １０２：第１本体部  １０４：第１取付部  １０６：固定片  １０８：固定突部  １１０：第１柱状部  １１２：第１腕部  １１４：上側第１接触部  １１６：第１中間腕部  １１８：下側第１接触部  １２２：第１作動片  １２４：第１規制突部  １２６：第１凸部  １２８：第１押圧部配置部  １３０：一方の第１面側  １３２：他方の第１面側  １３４：第１圧入部  １４０：第２コンタクト  １４２：第２本体部  １４４：第２取付部  １４６：第２規制突部  １４８：第２凸部  １５０：支持部  １５２：支持突起  １５４：第２柱状部  １５６：第２腕部  １５８：上側第２接触部  １６０：第２中間腕部  １６２：下側第２接触部  １６６：第２作動片  １６８：隆起部  １７０：第２押圧部配置部  １７２：一方の第２面側  １７４：他方の第２面側  １７６：第２圧入部  ２００：ＦＰＣ（被接続部材）
【図１】
2018120806.tif 000003
【図２】
2018120806.tif 000004
【図３】
2018120806.tif 000005
【図４】
2018120806.tif 000006
【図５】
2018120806.tif 000007
【図６】
2018120806.tif 000008
【図７】
2018120806.tif 000009
【図８】
2018120806.tif 000010
【図９】
2018120806.tif 000011
【図１０】
2018120806.tif 000012
【図１１】
2018120806.tif 000013
【図１２】
2018120806.tif 000014
【図１３】
2018120806.tif 000015
【図１４】
2018120806.tif 000016
【図１５】
2018120806.tif 000017
【図１６】
2018120806.tif 000018
【図１７】
2018120806.tif 000019
【図１８】
2018120806.tif 000020
【図１９】
2018120806.tif 000021
【図２０】
2018120806.tif 000022